(57)【要約】【課題】幅広い保管物を収納し、収納した保管物を取出しやすくする収納棚を得る。【解決手段】収納棚の側板３の内側に水平方向に設けられたホイールコンベア４上に棚板１を載せ、ホイールコンベア４の各ホイールの回転により、棚板１を作業者側に引出せるように構成して収納棚の奥に収納した保管物でも取出しやすくし、また、棚板１の奥の一辺にはストッパー５を設けるとともに、側板３のホイールコンベア４の上方に断面が長方形の突起状の係止部６を設けて、棚板１の引出しの際に、ストッパー５と係止部６が係合するようにして、棚板１を引出しすぎて落下するのを防ぐようにした。【選択図】図１
2011026035.tif 000002
【特許請求の範囲】
【請求項１】
棚板、
この棚板を支持するよう相対向して配置された一対の側板、
上記各側板に設けられ、上記棚板を摺動自在に支持する支持部を備え、
上記支持部は、上記棚板の摺動方向に沿って設けられていることを特徴とする収納棚。
【請求項２】
上記支持部は、一列に配置された複数のホイールが各別に回転できるように構成されていることを特徴とする請求項１記載の収納棚。
【請求項３】
上記支持部は、上記側板の対向面に形成された溝部により構成され、上記溝部の上記棚板との接触面にはすべり部材が配置されていることを特徴とする請求項１記載の収納棚。
【請求項４】
上記棚板上に配置され、所定の高さを有するストッパー、
上記側板の対向面でかつ上記支持部の上方に配置されるとともに、上記棚板が摺動されるときに上記ストッパーと係合して上記摺動を停止させるように配置された係止部を備えたことを特徴とする請求項１〜請求項３のいずれかに記載の収納棚。
【請求項５】
上記係止部は、回転可能に取付けられたホイールにより形成されていることを特徴とする請求項４記載の収納棚。
【請求項６】
上記ストッパーは、上記棚板に取り外しできるように取付けられていることを特徴とする請求項４または請求項５記載の収納棚。
【発明の詳細な説明】
【技術分野】
【０００１】
この発明は、棚の構造体から棚板を引出せるようにした収納棚に関するものである。
【背景技術】
【０００２】
保管物を収納する棚は、保管物を載せる棚板を引出せないように固定されていた。このため、棚の奥に収納している保管物を取出しにくいという問題があった。
また、従来の引き出しを有する保管設備としては、自動販売機の商品ラック引き出し構造がある（特許文献１）。
この引き出し構造は、商品ラックを引き出した後、斜め前方方向に傾き、この前傾状態を保持するような構成となっており、庫内の上方に設置した商品ラックに対して背の低い人でも商品補充作業が容易に行うことが可能になっている。
【先行技術文献】
【特許文献】
【０００３】
【特許文献１】特開平８−３３９４７３号公報（第３頁、図１）
【発明の概要】
【発明が解決しようとする課題】
【０００４】
特許文献１の保管設備では、棚上に商品ラックが設置されており、棚が斜めになっても製品落ちない仕組みになっているものの、この保管設備は、自動販売機に特化した仕組みであり、商品ラックがあることにより、製品保管上の制約があり、幅広い製品の保管には適していないという問題があった。
【０００５】
この発明は、上述のような課題を解決するためになされたものであり、幅広い保管物を収納でき、収納した保管物を取出しやすくする収納棚を得ることを目的にしている。
【課題を解決するための手段】
【０００６】
この発明に係わる収納棚においては、
棚板、
この棚板を支持するよう相対向して配置された一対の側板、
各側板に設けられ、棚板を摺動自在に支持する支持部を備え、
支持部は、棚板の摺動方向に沿って設けられているものである。
【発明の効果】
【０００７】
この発明は、以上説明したように、
棚板、
この棚板を支持するよう相対向して配置された一対の側板、
各側板に設けられ、棚板を摺動自在に支持する支持部を備え、
支持部は、棚板の摺動方向に沿って設けられているので、収納棚の奥にある保管物でも容易に取り出せるようになり、作業性が向上する。
【図面の簡単な説明】
【０００８】
【図１】この発明の実施の形態１による収納棚を示す概観図である。
【図２】この発明の実施の形態１による収納棚を示す断面図及び正面図である。
【図３】この発明の実施の形態１による収納棚のホイールコンベアの側板への取り付け方法を示す図である。
【図４】この発明の実施の形態１による収納棚のストッパーの棚板への取り付け方法を示す図である。
【図５】この発明の実施の形態１による収納棚からの保管物の取り出し状況を示す図である。
【図６】この発明の実施の形態２による収納棚を示す断面図及び正面図である。
【図７】この発明の実施の形態３による収納棚を示す正面図である。
【発明を実施するための形態】
【０００９】
実施の形態１．
図１は、この発明の実施の形態１による収納棚を示す概観図である。
図１において、天板２と側板３を有する構造体に棚板１が、引出し可能になるように取付けられて、収納棚が構成されている。側板３には、回転可能なホイールコンベア４（支持部）が水平方向に配置されている。このホイールコンベア４上に棚板１が載せられ、ホイールコンベア４の回転により、水平方向に棚板１がスライド（摺動）できるようになっている。棚板１を引出す作業者側と反対側（奥）の一辺に沿って、断面が長方形のストッパー５が配置されるとともに、側板３の内側にもホイールコンベア４の上方に、断面が長方形の突起状の係止部６が設けられ、棚板１を手前に引き出すとき、ストッパー５が係止部６で係止されて、それ以上引出せないようになっている。
【００１０】
なお、棚板１は図では１枚のみ示されているが、収納棚には複数の棚板１が設けられている。棚板１及び収納棚の構造体には、金属または木を用いることができる。ストッパー５も棚板１と同じ材質でよい。ストッパー５の高さは、１ｃｍくらいであればよいが、スライドを係止できる高さであれば、これに限定されるものではない。
収納棚の構造体には、背面の板が配置されていても、いなくてもよい。
ホイールコンベア４は、一列に配置された複数のホイールが各別に回転できるようになっている。各ホイールの直径及び幅は１ｃｍくらいの大きさでよいが、これに限定されるものではなく、棚板の載る大きさであればよい。ホイールの材質は、例えばプラスチックが用いられる。
【００１１】
図２は、この発明の実施の形態１による収納棚を示す断面図及び正面図である。
図２（ａ）は、棚板１が収納棚の構造体に収納されたときの断面図、図２（ｂ）は、棚板１が収納棚の構造体から引出されたときの断面図、図２（ｃ）は、棚板１と収納棚の構造体とを示す正面図である。
図２において、１、３〜６は図１におけるものと同一のものである。
【００１２】
図３は、この発明の実施の形態１による収納棚のホイールコンベアの側板への取り付け方法を示す図である。
図３において、３、４は図１におけるものと同一のものである。ホイールコンベア４の各ホイールは、棒状部材７によって側板３に回転可能に取付けられている。
【００１３】
図４は、この発明の実施の形態１による収納棚のストッパーの棚板への取り付け方法を示す図である。
図４において、１、５は図１におけるものと同一のものである。ストッパー５には、一列に複数の突起８が設けられ、棚板１には、突起８に対向して複数の孔９が設けられている。ストッパー５は、ストッパー５に設けられた突起８を、棚板１に設けられた孔９に挿入することによって、棚板１に係止される。
【００１４】
図５は、この発明の実施の形態１による収納棚からの保管物の取り出し状況を示す図である。
図５（ａ）は、収納棚の手前に保管されている保管物を取り出している状況を示す図、図５（ｂ）は、棚板を引出して、収納棚の奥に保管されている保管物を取り出している状
況を示す図である。
図５において、１、３は図１におけるものと同一のものである。棚板１上には、作業者１０側に保管物１１ａが収納され、作業者１０から遠方（奥）に保管物１１ｂが収納されている。作業者１０は、保管物１１ｂを取出す場合には、棚板１を引出してから取出す。
【００１５】
次に、動作について説明する。
図１の収納棚の側板３には水平方向にホイールコンベア４が設置されている。このホイールコンベア４上に棚板１は配置され、ホイールコンベア４の回転により自由に前後へのスライド（摺動）が可能となっているため、作業者１０は棚板１を手前に引き出すことが可能である。
作業者１０が棚板１を引出すとき、棚板１を引っ張りすぎることによる棚板１の落下を防ぐために、棚板１にストッパー５を設けている。側板３に設けられた係止部６とストッパー５が引っかかることで、棚板１が引き抜かれてしまうのを防止する。
この収納棚は、倉庫等における物流現場での保管物の収納が主な用途となる。倉庫内でのピッキング作業の際には、図５のように、作業者１０から見て奥にある、取り出しにくい保管物１１ｂは、棚板１を引き出すことで取り出しやすくなる。また、棚板１を引き出す際には、棚板１が水平な状態のまま引き出すことが可能なため、棚板１上に収納した保管物１１が滑り落ちるのを防ぐための滑り止め等は考慮する必要がない。
このため、棚板１上には保管上の制約がなく、サイズが収納棚の中に納まる保管物であれば、どのような保管物でも収納することが可能である。
【００１６】
また、図４のように、棚板１のストッパー５を取り外しが可能な構造とすれば、棚板１も取り外しが可能となる。
さらに、ホイールコンベア４が側板３の内側に設置され、そのホイールコンベア４上に棚板１が配置されただけの構成であるため、保管物の高さが大きく、棚に入らない場合には、棚板１を外すことによって間口の高さを調節することが可能である。
【００１７】
実施の形態１によれば、収納棚の棚板を水平に引出せる構成としたので、幅広い製品の保管を可能にし、保管物をピッキングする際に、収納棚の奥にある保管物でも容易に取り出すことができる。
また、棚板にストッパーを設けたので、引っ張りすぎによる棚板の落下を防ぐことができる。
また、棚板からストッパーを取り外し可能な構造とすることで、保管物の高さに応じて棚板を取り外すことができる。
【００１８】
実施の形態２．
図６は、この発明の実施の形態２による収納棚を示す断面図及び正面図である。
図６（ａ）は、棚板１が収納棚の構造体に収納されたときの断面図、図６（ｂ）は、棚板１が収納棚の構造体から引出されたときの断面図、図６（ｃ）は、棚板１と収納棚の構造体とを示す正面図である。
図６において、１、３〜５は図１におけるものと同一のものである。図６では、図２の断面が長方形の突起状の係止部６に代えて、ホイールにより形成された係止部１２を設けている。
実施の形態２は、側板３の内側に配置され、ストッパー５を係止するための係止部１２を、ホイールにより形成したので、ホイールの回転により、実施の形態１に比べて、より円滑に棚板１をスライドさせ、引出せるようになる。
【００１９】
実施の形態２によれば、側板の内側に配置される係止部をホイールにより形成したので、ホイールの回転により、より円滑に棚板をスライドさせ、引出すことができる。
【００２０】
実施の形態３．
図７は、この発明の実施の形態３による収納棚を示す正面図である。
図７において、１、３、１１は図１におけるものと同一のものである。図７では、側板３に水平方向に溝部１３（支持部）を設け、この溝部１３に棚板１を係合させるように配置し、棚板１を溝部１２に沿って引出せるように構成している。
なお、図では省略されているが、図７にもストッパー５及び係止部６（または係止部１２）を設けることができる。
実施の形態３は、実施の形態１のホイールコンベア４に代えて、側板３の内側に水平方向に溝部１３を設け、この溝部１３に棚板１を配置して、溝部１３に沿って、棚板１をスライドできるように構成している。このため、溝部１３の棚板１との接触面にはすべり部材が配置されている。また、棚板１の溝部１３との接触面にもすべり部材が配置されてもよい。
【００２１】
実施の形態３によれば、側板に水平方向に溝部を設け、この溝部に棚板を配置して、溝部に沿って、棚板をスライドできるように構成したので、実施の形態１と同様の効果が得られる。
【符号の説明】
【００２２】
１  棚板
２  天板
３  側板
４  ホイールコンベア
５  ストッパー
６  係止部
７  棒状部材
８  突起
９  孔
１０  作業者
１１  保管物
１２  係止部
１３  溝部
【図１】
2011026035.tif 000003
【図２】
2011026035.tif 000004
【図３】
2011026035.tif 000005
【図４】
2011026035.tif 000006
【図５】
2011026035.tif 000007
【図６】
2011026035.tif 000008
【図７】
2011026035.tif 000009